(57)【要約】  【課題】  点火時期が固定制御される内燃機関の始動時からアイドル時近傍までの低回転速度域での点火時期の遅れをなくすと共に、機関回転速度の変動をなくすこと  【解決手段】  クランクロータ２の前段の突起部３ａの前端３af及び後端３arに対応するクランク角信号の発生間隔より長く、かつ後段の突起部３ｂの前端３bf及び後端３brに対応するクランク角信号の発生間隔より短い期間だけ状態変化する信号が、２つの突起部３ａ，３ｂのそれぞれの前端３af，３bfに対応するクランク角信号の発生に同期してマイクロコンピュータ３０にて逐次生成される。この信号の状態変化していない期間に発生されたクランク角信号のみがそのままＡＮＤ回路２３から点火信号として出力される。この点火信号は、マイクロコンピュータ３０の処理時間の影響を受けることがないため、点火時期の遅れがなくなり、安定した機関回転速度を得ることができる。  【選択図】図１
2005220767.tif 000002
【特許請求の範囲】
【請求項１】
内燃機関のクランクシャフトに接続されたクランクロータに形成され、回転方向に対して前段が幅狭、後段が幅広の所定クランク角からなる連続する２つの突起部に対応して発生されるクランク角信号を検出する信号検出手段と、
前記クランクロータの前段の突起部の前端及び後端に対応する前記クランク角信号の発生間隔より長く、かつ前記クランクロータの後段の突起部の前端及び後端に対応する前記クランク角信号の発生間隔より短い期間だけ状態変化する信号を、前記２つの突起部のそれぞれの前端に対応する前記クランク角信号の発生に同期して逐次生成する信号生成手段と、
前記信号生成手段からの信号が状態変化していない期間では、前記クランク角信号をそのまま点火信号として出力する信号通過手段と
を具備することを特徴とする内燃機関の点火制御装置。
【請求項２】
内燃機関のクランクシャフトに接続されたクランクロータに形成され、回転方向に対して前段が幅狭、後段が幅広の所定クランク角からなる連続する２つの突起部に対応して発生されるクランク角信号を検出する信号検出手段と、
前記クランクロータの前段の突起部の前端及び後端に対応する前記クランク角信号の発生間隔より長く、かつ前記クランクロータの後段の突起部の前端及び後端に対応する前記クランク角信号の発生間隔より短い期間だけ、前記２つの突起部のそれぞれの前端に対応する前記クランク角信号の発生に同期して前記クランク角信号の通過を阻止する信号阻止手段と、
前記信号阻止手段により前記クランク角信号の通過が阻止されていない期間では、前記クランク角信号をそのまま点火信号として出力する信号通過手段と
を具備することを特徴とする内燃機関の点火制御装置。
【請求項３】
前記信号通過手段は、前記内燃機関の始動時からアイドル時近傍までの低回転速度域で適用されることを特徴とする請求項１または請求項２に記載の内燃機関の点火制御装置。
【発明の詳細な説明】
【技術分野】
【０００１】
本発明は、内燃機関の点火時期を機関回転速度に応じて制御する内燃機関の点火制御装置に関するものである。
【背景技術】
【０００２】
従来、内燃機関の点火制御装置として、図５に示すように、内燃機関のクランクシャフト１に接続され、クランクシャフト１の回転に伴う所定クランク角〔°ＣＡ(Crank Angle）〕に対応し連続する２つの突起部３ａ，３ｂが形成されたクランクロータ２を用い、機関回転速度に応じて点火時期を制御するものが知られている。
【０００３】
クランクロータ２の突起部３ａ，３ｂに対向してクランク角センサ１０が配設されている。このクランク角センサ１０からの突起部３ａ，３ｂの回転位置に対応するクランク角信号は、波形整形回路２１を介して波形整形されたのちマイクロコンピュータ３０に入力される。
【０００４】
なお、マイクロコンピュータ３０は、周知の各種演算処理を実行する中央処理装置としてのＣＰＵ、制御プログラムや制御マップ等を格納したＲＯＭ、各種データ等を格納するＲＡＭ、Ｂ／Ｕ（バックアップ）ＲＡＭ、入出力回路及びそれらを接続するバスライン等からなる論理演算回路として構成されている。
【０００５】
一方、Ｖc 充電回路４１が点火用コンデンサ４２の一方の端子に接続され、点火用コンデンサ４２の他方の端子には点火コイル４３を介して点火プラグ４４が接続されている。そして、Ｖc 充電回路４１と点火用コンデンサ４２との間にはＳＣＲ(Silicon Controlled Rectifier:三端子方向性サイリスタ）４５のアノードが接続され、マイクロコンピュータ３０の出力端子がＳＣＲ４５のゲートに接続されている。なお、ＳＣＲ４５のカソードは接地されている。
【０００６】
ここで、クランクロータ２の連続する２つの突起部３ａ，３ｂのうち回転方向（矢印方向）で前段となる突起部３ａは、この両端３af，３arに対応するクランク角センサ１０によるクランク角信号の発生間隔に基づき内燃機関の機関回転速度の変動を知るためのものである。また、後段の突起部３ｂの前端３bfは、この前端３bfに対応するクランク角センサ１０によるクランク角信号の発生に基づき、内燃機関の機関回転速度が始動時からアイドル時近傍までの所定回転速度を越え高いときに、点火信号を発生するまでの機関回転速度に応じた点火用タイマをセットする所定クランク角位置として、点火時期を進角制御するためのものである。そして、後段の突起部３ｂの後端３brは、この後端３brに対応するクランク角センサ１０によるクランク角信号の発生に基づき、内燃機関の機関回転速度が始動時からアイドル時近傍までの所定回転速度以下と低いときに、点火信号の出力時点を所定クランク角である一定のクランク角位置として、点火時期を固定制御するためのものである。
【０００７】
上記構成において、内燃機関の機関回転速度に応じて点火時期を制御する点火制御について、図６に示すタイムチャートを参照して説明する。なお、図６ではクランクロータ２の突起部３ａ，３ｂを便宜上、時間軸上に表している。
【０００８】
図６に示すように、クランクロータ２の前段の突起部３ａの前端３af及び後端３ar、後段の突起部３ｂの前端３bf及び後端３brに対応してクランク角センサ１０で発生されるクランク角信号は、波形整形回路２１を介して波形整形されたのちマイクロコンピュータへの入力信号としてマイクロコンピュータ３０に入力される。
【０００９】
前述したように、内燃機関の機関回転速度が所定回転速度以下と低いときには、クランクロータ２の後段の突起部３ｂの後端３brに対応し点火時期を固定制御するため、マイクロコンピュータ３０にて演算処理されたのち、マイクロコンピュータ３０からＳＣＲ４５のゲートに点火信号が出力される。また、内燃機関の機関回転速度が所定回転速度を越え高いときには、クランクロータ２の後段の突起部３ｂの前端３bfに対応し点火時期を進角制御するため、マイクロコンピュータ３０内で機関回転速度に応じ演算処理された進角制御における点火用タイマがセットされ、この点火用タイマがタイムアップした時点で、マイクロコンピュータ３０からＳＣＲ４５のゲートに点火信号が出力される。
【発明の開示】
【発明が解決しようとする課題】
【００１０】
ところで、前述したように、内燃機関の機関回転速度が始動時からアイドル時近傍までの所定回転速度以下と低回転速度域のときには、クランクロータ２の後段の突起部３ｂの後端３brに対応し点火時期が固定制御される。この際にも、マイクロコンピュータ３０を介して点火信号が出力される。このため、図６に示すように、固定制御における点火信号にあっては、固定制御における点火タイミングに対してマイクロコンピュータ３０の処理時間である数十μｓ〔マイクロ秒〕の遅れが生じる。なお、前述したように、内燃機関の機関回転速度が所定回転速度を越え高いときの進角制御では、マイクロコンピュータ３０内の点火用タイマのセットによって点火信号が出力されるため所望の点火タイミングに対する遅れは補償される。
【００１１】
ここで、内燃機関の機関回転速度〔ｒｐｍ〕と点火時期との関係を図７に一例として示す。なお、図７に矢印にて示す演算処理開始の機関回転速度とは、マイクロコンピュータ３０による点火時期の進角制御のための演算処理が開始される機関回転速度である。この演算処理開始の機関回転速度以下である始動時からアイドル時近傍までの低回転速度域に対する点火時期の固定制御では、マイクロコンピュータ３０から出力される点火信号の遅れが現れる（図６参照）。また、この点火信号の遅れの影響により、低回転速度域に応じた点火時期の固定制御にもかかわらず、図７に実線にて示すように、機関回転速度が高くなるに連れて点火時期が遅角側に変移することとなる。
【００１２】
このように、マイクロコンピュータ３０により点火時期が固定制御される内燃機関の機関回転速度が始動時からアイドル時近傍までの低回転速度域では、マイクロコンピュータ３０の処理時間の影響で点火時期が遅れると共に、この点火時期が機関回転速度に対して変動を受けることとなり、アイドリング（アイドル運転状態）が不安定になるという不具合があった。
【００１３】
そこで、この発明はかかる不具合を解決するためになされたもので、点火時期が固定制御される内燃機関の始動時からアイドル時近傍までの低回転速度域での点火時期の遅れをなくすと共に、機関回転速度の変動をなくすことができる内燃機関の点火制御装置の提供を課題としている。
【課題を解決するための手段】
【００１４】
請求項１の内燃機関の点火制御装置によれば、信号生成手段で内燃機関のクランクシャフトに接続されたクランクロータの前段の突起部の前端及び後端に対応し、信号検出手段で検出されるクランク角信号の発生間隔より長く、かつクランクロータの後段の突起部の前端及び後端に対応し、信号検出手段で検出されるクランク角信号の発生間隔より短い期間だけ状態変化する信号が、２つの突起部のそれぞれの前端に対応し、信号検出手段で検出されるクランク角信号の発生に同期して逐次生成される。この信号生成手段で生成された信号の状態変化していない期間に発生されたクランク角信号のみが、信号通過手段によってそのまま点火信号として出力される。この結果、クランクロータの後段の突起部の後端に対応するクランク角信号の発生時点が点火信号として採用されることとなり、点火時期の遅れがなく安定した機関回転速度が得られる。
【００１５】
請求項２の内燃機関の点火制御装置によれば、信号阻止手段で内燃機関のクランクシャフトに接続されたクランクロータの前段の突起部の前端及び後端に対応し、信号検出手段で検出されるクランク角信号の発生間隔より長く、かつクランクロータの後段の突起部の前端及び後端に対応し、信号検出手段で検出されるクランク角信号の発生間隔より短い期間だけ、２つの突起部のそれぞれの前端に対応し、信号検出手段で検出されるクランク角信号の発生に同期し、クランク角信号の通過が阻止される。この信号阻止手段で阻止されていない期間に発生されたクランク角信号のみが、そのまま点火信号として出力される。この結果、クランクロータの後段の突起部の後端に対応するクランク角信号の発生時点が点火信号として採用されることとなり、点火時期の遅れがなく安定した機関回転速度が得られる。
【００１６】
請求項３の内燃機関の点火制御装置では、クランク角信号をそのまま点火信号として出力する信号通過手段が、始動時からアイドル時近傍までの内燃機関の機関回転速度の低回転速度域で適用される。これにより、内燃機関の機関回転速度にかかわらず点火時期を一定のクランク角位置に設定したい低回転速度域における点火時期の固定制御が良好に達成される。
【発明を実施するための最良の形態】
【００１７】
以下、本発明を実施するための最良の形態を実施例に基づいて説明する。
【実施例１】
【００１８】
図１は本発明の実施例１にかかる内燃機関の点火制御装置を示す概略構成図である。なお、前述の従来装置と同様の構成または相当部分からなるものについては同一符号及び同一記号を付して示す。
【００１９】
図１において、内燃機関のクランクシャフト１に接続されたクランクロータ２には、連続する２つの突起部３ａ，３ｂが形成されている。このうち、クランクシャフト１の回転に伴うクランクロータ２の回転方向（矢印方向）で、前段の突起部３ａは所定クランク角〔°ＣＡ〕位置に対応した前端３af及び後端３arからなる幅狭、また、後段の突起部３ｂは所定クランク角〔°ＣＡ〕位置に対応した前端３bf及び後端３brからなる幅広に形成されている。
【００２０】
このクランクロータ２の突起部３ａ，３ｂに対向してクランク角センサ１０が配設されている。このクランク角センサ１０の正（＋）側の端子は、波形整形回路２１の入力端子に接続され、クランク角センサ１０の負（−）側の端子は接地されている。また、波形整形回路２１の出力端子はマイクロコンピュータ３０の入力端子に接続されている。
【００２１】
したがって、クランク角センサ１０からは、クランクシャフト１の回転に伴うクランクロータ２の前段の突起部３ａの前端３af及び後端３ar、後段の突起部３ｂの前端３bf及び後端３brの回転位置に対応してクランク角信号が出力される。このクランク角信号は、波形整形回路２１を介して波形整形されたのちマイクロコンピュータ３０に入力される。
【００２２】
なお、マイクロコンピュータ３０は、周知の各種演算処理を実行する中央処理装置としてのＣＰＵ、制御プログラムや制御マップ等を格納したＲＯＭ、各種データ等を格納するＲＡＭ、Ｂ／Ｕ（バックアップ）ＲＡＭ、入出力回路及びそれらを接続するバスライン等からなる論理演算回路として構成されている。
【００２３】
一方、Ｖc 充電回路４１が点火用コンデンサ４２の一方の端子に接続され、点火用コンデンサ４２の他方の端子には点火コイル４３を介して点火プラグ４４が接続されている。また、Ｖc 充電回路４１と点火用コンデンサ４２との間には、ＳＣＲ（三端子方向性サイリスタ）４５のアノードが接続され、ＳＣＲ４５のカソードは接地されている。そして、マイクロコンピュータ３０の出力端子はＳＣＲ４５のゲートに接続されている。
【００２４】
更に、クランク角センサ１０の正（＋）側の端子は、ダイオード２２を介して論理和を求めるＡＮＤ回路２３の一方の入力端子に接続され、マイクロコンピュータ３０の出力端子がＡＮＤ回路２３の他方の入力端子に接続されている。また、ＡＮＤ回路２３の出力端子はＳＣＲ４５のゲートに接続されている。
【００２５】
前述の従来装置と同様に、クランクロータ２の連続する２つの突起部３ａ，３ｂのうち回転方向（矢印方向）で前段の突起部３ａは、この前端３af及び後端３arの所定クランク角位置に対応するクランク角センサ１０によるクランク角信号の発生間隔に基づき内燃機関の機関回転速度の変動を知るためのものである。また、クランクロータ２の後段の突起部３ｂの前端３bfは、この前端３bfに対応してクランク角センサ１０で発生されるクランク角信号に基づき、機関回転速度が所定回転速度を越え高いときに、点火信号を発生するまでの点火用タイマをセットする所定クランク角位置として、点火時期を進角制御するためのものである。そして、クランクロータ２の後段の突起部３ｂの後端３brは、この後端３brに対応してクランク角センサ１０で発生されるクランク角信号に基づき、機関回転速度が所定回転速度以下と低いときに、点火信号の出力時点を所定クランク角である一定のクランク角位置として、点火時期を固定制御するためのものである。
【００２６】
上記構成において、内燃機関の機関回転速度に応じて点火時期を制御する点火制御について、図２を参照して説明する。ここで、図２は図１における各種信号等の発生タイミングを示すタイムチャートである。なお、図２ではクランクロータ２の突起部３ａ，３ｂを便宜上、時間軸上に表している。
【００２７】
図２に示すように、クランクロータ２の前段の突起部３ａの前端３af及び後端３ar、後段の突起部３ｂの前端３bf及び後端３brに対応してクランク角センサ１０で発生されるクランク角信号は、波形整形回路２１を介して波形整形されたのちマイクロコンピュータ３０に入力される。
【００２８】
機関回転速度が所定回転速度を越え高いときには、前述の従来装置と同様に、クランクロータ２の後段の突起部３ｂの前端３bfに対応するクランク角信号の発生に同期し点火時期を進角制御するため、マイクロコンピュータ３０で機関回転速度に応じ演算処理された点火用タイマがセットされ、この点火用タイマがタイムアップした時点で、マイクロコンピュータ３０からＳＣＲ４５のゲートに点火信号が出力される。
【００２９】
一方、機関回転速度が所定回転速度以下と低いときには、前述の従来装置と同様に、クランクロータ２の後段の突起部３ｂの後端３brに対応したクランク角信号の発生によって、マイクロコンピュータ３０にて演算処理されたのち、マイクロコンピュータ３０からＳＣＲ４５のゲートに点火信号が出力される。更に、クランクロータ２の前段の突起部３ａの前端３af及び後端３ar、後段の突起部３ｂの前端３bf及び後端３brに対応してクランク角センサ１０で発生されるクランク角信号は、ダイオード２２を通ってＡＮＤ回路２３に入力される。
【００３０】
また、マイクロコンピュータ３０では、図２にマイクロコンピュータからＡＮＤ回路への出力信号として示すように、クランクロータ２の前段の突起部３ａの前端３af及び後端３arに対応するクランク角信号の発生間隔より長く、かつ後段の突起部３ｂの前端３bf及び後端３brに対応するクランク角信号の発生間隔より短い期間だけＨｉｇｈからＬｏｗに状態変化する信号が生成される。この信号は、マイクロコンピュータ３０からＡＮＤ回路２３へ出力され、ＡＮＤ回路２３にてクランク角信号との論理和が求められる。
【００３１】
この結果、ＡＮＤ回路２３からはクランクロータ２の後段の突起部３ｂの後端３brに対応するクランク角信号のみが、内燃機関の低回転速度域での固定制御における点火信号としてＳＣＲ４５のゲートに出力される。なお、進角制御における点火用タイマは、前述の従来装置と同様に、クランクロータ２の後段の突起部３ｂの前端３bfに対応するクランク角信号の発生に同期してセットされる。
【００３２】
このようにして、内燃機関の低回転速度域における点火時期の固定制御では、ＡＮＤ回路２３からの点火信号がＳＣＲ５のゲートに入力される。また、内燃機関のそれ以上の回転速度域における点火時期の進角制御では、マイクロコンピュータ３０により機関回転速度に応じて演算処理されセットされる点火用タイマのタイムアップによる点火信号に加え、ＡＮＤ回路２３からの点火信号もＳＣＲ４５のゲートに入力される。
【００３３】
このため、点火時期の進角制御が必要となる内燃機関の低回転速度域を越えた回転速度域では、点火信号が短い間隔で連続してＳＣＲ４５のゲートに入力することとなるが、点火用コンデンサ４２に対するＶc 充電回路４１からの充電が間に合わないことから、最初に入力された点火信号によって点火コイル４３に２次電流が流れ、点火プラグ４４による火花放電が起こる。つまり、内燃機関の低回転速度域を越えた回転速度域では、マイクロコンピュータ３０により機関回転速度に応じて演算処理されセットされる点火用タイマのタイムアップによる点火信号が優先され点火時期の進角制御が有効となるのである。
【００３４】
このように、本実施例の内燃機関の点火制御装置は、内燃機関のクランクシャフト１に接続されたクランクロータ２に形成され、回転方向に対して前段が幅狭、後段が幅広の所定クランク角からなる連続する２つの突起部３ａ，３ｂに対応して発生されるクランク角信号を検出する信号検出手段としてのクランク角センサ１０と、クランクロータ２の前段の突起部３ａの前端３af及び後端３arに対応するクランク角信号の発生間隔より長く、かつクランクロータ２の後段の突起部３ｂの前端３bf及び後端３brに対応するクランク角信号の発生間隔より短い期間だけ状態変化する信号を、２つの突起部３ａ，３ｂのそれぞれの前端３af，３bfに対応するクランク角信号の発生に同期して逐次生成するマイクロコンピュータ３０にて達成される信号生成手段と、前記信号生成手段からの信号が状態変化していない期間では、クランク角信号をそのまま点火信号として出力するダイオード２２及びＡＮＤ回路２３からなる信号通過手段とを具備するものである。
【００３５】
つまり、クランクロータ２の前段の突起部３ａの前端３af及び後端３arに対応するクランク角信号の発生間隔より長く、かつクランクロータ２の後段の突起部３ｂの前端３bf及び後端３brに対応するクランク角信号の発生間隔より短い期間だけ状態変化する信号が、２つの突起部３ａ，３ｂのそれぞれの前端３af，３bfに対応するクランク角信号の発生に同期してマイクロコンピュータ３０にて逐次生成される。このマイクロコンピュータ３０からの信号の状態変化していない期間に発生されたクランク角信号のみがそのままＡＮＤ回路２３から点火信号として出力される。
【００３６】
これにより、クランクロータ２の後段の突起部３ｂの後端３brに対応するクランク角信号の発生時点を点火信号としてそのまま採用することができ、マイクロコンピュータ３０の処理時間の影響を受けることがないため、点火時期の遅れがなくなり、安定した機関回転速度を得ることができる。
【００３７】
また、本実施例の内燃機関の点火制御装置のダイオード２２及びＡＮＤ回路２３等からなる信号通過手段が、内燃機関の始動時からアイドル時近傍までの低回転速度域で適用されるものである。このため、内燃機関の機関回転速度にかかわらず一定のクランク角位置に設定したい低回転速度域において、点火時期の固定制御を良好に達成することができる。
【実施例２】
【００３８】
図３は本発明の実施例２にかかる内燃機関の点火制御装置を示す概略構成図である。なお、図中、上述の実施例１と同様の構成または相当部分からなるものについては同一符号及び同一記号を付し、その詳細な説明を省略する。
【００３９】
図３においては、上述の実施例１におけるダイオード２２及びＡＮＤ回路２３からなる経路に替え、クランク角センサ１０の正（＋）側の端子が波形整形回路２１及びマイクロコンピュータ３０からなる経路と並列に形成されたバイパス路２４を介して直接、ＳＣＲ４５のゲートに接続されている。また、コンデンサ２５及び抵抗体２６からなるＣＲ回路が形成されている。そして、クランク角センサ１０の負（−）側の端子がＣＲ回路のコンデンサ２５を充電／放電するトランジスタ等からなるスイッチング素子２７に接続されている。また、ＣＲ回路の抵抗体２６はバイパス路２４を接地する経路に設けられたトランジスタ等からなるスイッチング素子２８に接続されている。
【００４０】
このコンデンサ２５及び抵抗体２６からなるＣＲ回路の時定数は、クランクロータ２の前段の突起部３ａの前端３af及び後端３arに対応するクランク角信号の発生間隔より長く、かつクランクロータ２の後段の突起部３ｂの前端３bf及び後端３brに対応するクランク角信号の発生間隔より短い期間に設定されている。
【００４１】
したがって、クランクロータ２の前段の突起部３ａの前端３af及び後段の突起部３ｂの前端３bfに対応するクランク角センサ１０の負（−）側の端子からのクランク角信号によるスイッチング素子２５のＯＮ（オン）／ＯＦＦ（オフ）によりＣＲ回路のコンデンサ２５が充電／放電される。このコンデンサ２５及び抵抗体２６からなるＣＲ回路の放電にかかる時定数の期間だけスイッチング素子２８がＯＮされ、バイパス路２８が接地短絡される。
【００４２】
上記構成において、内燃機関の機関回転速度に応じて点火時期を制御する点火制御について、図４を参照して説明する。ここで、図４は図３における各種信号等の発生タイミングを示すタイムチャートである。なお、図４ではクランクロータ２の突起部３ａ，３ｂを便宜上、時間軸上に表している。
【００４３】
図４に示すように、上述の実施例１と同様に、クランクロータ２の前段の突起部３ａの前端３af及び後端３ar、後段の突起部３ｂの前端３bf及び後端３brに対応してクランク角センサ１０で発生されるクランク角信号は、波形整形回路２１を介して波形整形されたのちマイクロコンピュータ３０に入力される。
【００４４】
機関回転速度が所定回転速度を越え高いときには、前述の従来装置と同様に、クランクロータ２の後段の突起部３ｂの前端３bfに対応するクランク角信号の発生に同期し点火時期を進角制御するため、マイクロコンピュータ３０で機関回転速度に応じ演算処理された点火用タイマがセットされ、この点火用タイマがタイムアップした時点で、マイクロコンピュータ３０からＳＣＲ４５のゲートに点火信号が出力される。
【００４５】
一方、機関回転速度が所定回転速度以下と低いときには、クランクロータ２の前段の突起部３ａの前端３af及び後段３ｂの前端３bfに対応したクランク角センサ１０の負（−）側の端子からのクランク角信号の発生によって、スイッチング素子２７がＯＮ／ＯＦＦされる。更に、クランクロータ２の前段の突起部３ａの後端３ar、後段の突起部３ｂの後端３brに対応したクランク角センサ１０からの正（＋）側の端子からのクランク角信号がバイパス路２４に出力される。
【００４６】
このうち、クランクロータ２の前段の突起部３ａの後端３arに対応したクランク角センサ１０の正（＋）側の端子からのクランク角信号は、その発生時期がスイッチング素子２８のＯＮ期間に相当するためバイパス路２８からスイッチング素子２８を介して接地側へと流れることでＳＣＲ４５のゲートへの通過が阻止される。一方、クランクロータ２の後段の突起部３ｂの後端３brに対応したクランク角センサ１０の正（＋）側の端子からのクランク角信号は、その発生時期がスイッチング素子２８のＯＦＦ期間に相当するため、バイパス路２８の通過を阻止されないでそのままＳＣＲ４５のゲートに入力されることとなる。
【００４７】
このようにして、内燃機関の低回転速度域における点火時期の固定制御では、バイパス路２４の通過を阻止されないクランク角信号が直接、点火信号としてＳＣＲ５のゲートに入力される。また、内燃機関の低回転速度域を越えた回転速度域における点火時期の進角制御ではマイクロコンピュータ３０により機関回転速度に応じて演算処理されセットされた点火用タイマのタイムアップによる点火信号に加え、バイパス路２４の通過を阻止されないクランク角信号である点火信号もＳＣＲ４５のゲートに入力される。
【００４８】
このため、点火時期の進角制御が必要となる内燃機関の低回転速度域を越えた回転速度域では、点火信号が短い間隔で連続してＳＣＲ４５のゲートに入力することとなるが、点火用コンデンサ４２に対するＶc 充電回路４１からの充電が間に合わないことから、最初に入力された点火信号によって点火コイル４３に２次電流が流れ、点火プラグ４４による火花放電が起こる。つまり、内燃機関の低回転速度域を越えた回転速度域では、マイクロコンピュータ３０により機関回転速度に応じて演算処理されセットされた点火用タイマのタイムアップによる点火信号が優先され点火時期の進角制御が有効となるのである。
【００４９】
このように、本実施例の内燃機関の点火制御装置は、内燃機関のクランクシャフト１に接続されたクランクロータ２に形成され、回転方向に対して前段が幅狭、後段が幅広の所定クランク角からなる連続する２つの突起部３ａ，３ｂに対応して発生されるクランク角信号を検出する信号検出手段としてのクランク角センサ１０と、クランクロータ２の前段の突起部３ａの前端３af及び後端３arに対応するクランク角信号の発生間隔より長く、かつクランクロータ２の後段の突起部３ｂの前端３bf及び後端３brに対応するクランク角信号の発生間隔より短い期間だけ、２つの突起部３ａ，３ｂのそれぞれの前端３af，３bfに対応するクランク角信号の発生に同期してクランク角信号の通過を阻止するバイパス路２４、ＣＲ回路を形成するコンデンサ２５及び抵抗体２６、スイッチング素子２７，２８等からなる信号阻止手段と、前記信号阻止手段によりクランク角信号の通過が阻止されていない期間では、クランク角信号をそのまま点火信号として出力するバイパス路２４、ＣＲ回路を形成するコンデンサ２５及び抵抗体２６、スイッチング素子２７，２８からなる信号通過手段とを具備するものである。
【００５０】
つまり、クランクロータ２の前段の突起部３ａの前端３af及び後端３arに対応するクランク角信号の発生間隔より長く、かつクランクロータ２の後段の突起部３ｂの前端３bf及び後端３brに対応するクランク角信号の発生間隔より短い期間だけ、２つの突起部３ａ，３ｂのそれぞれの前端３af，３bfに対応するクランク角信号の発生に同期してそのクランク角信号の通過が阻止される。このクランク角信号の通過が阻止されていない期間に発生されたクランク角信号のみがそのまま点火信号として出力される。
【００５１】
これにより、クランクロータ２の後段の突起部３ｂの後端３brに対応するクランク角信号の発生時点を点火信号としてそのまま採用することができ、他の回路構成による影響を受けることがないため、点火時期の遅れがなくなり、安定した機関回転速度を得ることができる。
【００５２】
また、本実施例の内燃機関の点火制御装置のバイパス路２４、ＣＲ回路を形成するコンデンサ２５及び抵抗体２６、スイッチング素子２７，２８等からなる信号通過手段が、内燃機関の始動時からアイドル時近傍までの低回転速度域で適用されるものである。このため、内燃機関の機関回転速度にかかわらず一定のクランク角位置に設定したい低回転速度域において、点火時期の固定制御を良好に達成することができる。
【図面の簡単な説明】
【００５３】
【図１】図１は本発明の実施例１にかかる内燃機関の点火制御装置を示す概略構成図である。
【図２】図２は図１における各種信号等の発生タイミングを示すタイムチャートである。
【図３】図３は本発明の実施例２にかかる内燃機関の点火制御装置を示す概略構成図である。
【図４】図４は図３における各種信号等の発生タイミングを示すタイムチャートである。
【図５】図５は従来の内燃機関の点火制御装置を示す概略構成図である。
【図６】図６は図５における各種信号等の発生タイミングを示すタイムチャートである。
【図７】図７は従来の内燃機関の点火制御装置における機関回転速度と点火時期との関係を示す特性図である。
【符号の説明】
【００５４】
１          クランクシャフト
２          クランクロータ
３ａ，３ｂ  突起部
１０        クランク角センサ
２３        ＡＮＤ回路
【図１】
2005220767.tif 000003
【図２】
2005220767.tif 000004
【図３】
2005220767.tif 000005
【図４】
2005220767.tif 000006
【図５】
2005220767.tif 000007
【図６】
2005220767.tif 000008
【図７】
2005220767.tif 000009